(57)【要約】【課題】吸収性物品の装着時に身体の丸みや凹凸に沿って変形しやすくするとともに、体液の漏れや装着時の違和感を軽減する。【解決手段】透液性表面シート３と裏面シート２との間に吸収体４が介在されるとともに、両側部にそれぞれ、装着時に下着のクロッチ部分を巻き込むようにして固定されるウイング状フラップＷと、これより後側に装着時に下着の臀部内面側に固定されるヒップホールド用フラップＨＦとが形成された生理用ナプキン１である。ウイング状フラップＷの付け根後端Ｂの製品幅ＵＢが、ウイング状フラップＷの付け根前端Ａの製品幅ＵＡより広く形成され、且つウイング状フラップＷの付け根後端Ｂからヒップホールド用フラップＨＦの付け根前端Ｃにかけての外形線２０が外側に凸の曲線で形成されている。【選択図】図１
2014144140.tif 000002
【特許請求の範囲】
【請求項１】
透液性表面シートと裏面シートとの間に吸収体が介在されるとともに、両側部にそれぞれ、装着時に下着のクロッチ部分を巻き込むようにして固定されるウイング状フラップと、これより後側に装着時に下着の臀部内面側に固定されるヒップホールド用フラップとが形成された吸収性物品において、
前記ウイング状フラップの付け根後端の製品幅が、前記ウイング状フラップの付け根前端の製品幅より広く形成され、且つ前記ウイング状フラップの付け根後端から前記ヒップホールド用フラップの付け根前端にかけての外形線が外側に凸の曲線で形成されていることを特徴とする吸収性物品。
【請求項２】
前記ヒップホールド用フラップの付け根前端の製品幅が、前記ウイング状フラップの付け根後端の製品幅より狭いかほぼ同等に形成されている請求項１記載の吸収性物品。
【請求項３】
前記ヒップホールド用フラップの外形は、接線の向きを連続的に変化させた凸曲線と凹曲線との組合せからなる波状の形状線又は接線の向きが不連続となる部分を有しながら複数の凸曲線を連設させた連設山状の形状線とされている請求項１、２いずれかに記載の吸収性物品。
【請求項４】
前記凸曲線の曲率半径は、凹曲線の曲率半径より大きく形成されている請求項３記載の吸収性物品。
【発明の詳細な説明】
【技術分野】
【０００１】
本発明は、下着への固定に際し、下着のクロッチ部分に巻き付けるようにして使用されるウイング状フラップと、これより後部側に下着の臀部内面側に固定されるヒップホールド用フラップを備えた吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
近年は、前記吸収性物品においても、体液の量や装着時間帯に応じた製品が各種提案されている。たとえば、夜用生理用ナプキンでは、下着に対する固定をより完全に図るとともに、後漏れを確実に防止するために、ナプキンの長手方向中間両側部に設けたウイング状フラップの他に、ヒップ側を完全にホールドするために、前記ウイング状フラップより後部側両側部にも側部に延在するフラップ（以下、ヒップホールド用フラップという。）を設けたものが存在する。
【０００４】
具体的には、上記吸収性物品（生理用ナプキン５０）は、図７に示されるように、ポリエチレンシートなどからなる不透液性裏面シート５２と、経血やおりものなどを速やかに透過させる透液性表面シート５３と、これら両シート５２，５３間に介装された綿状パルプまたは合成パルプなどからなる吸収体５４と、表面側両側部に設けられた左右一対のサイド不織布５５とから主に構成され、前記吸収体５４の周囲においては、その上下端縁部では前記不透液性裏面シート５２と透液性表面シート５３との外縁部がホットメルトなどの接着剤やヒートシール等の接着手段によって接合され、またその両側縁部では吸収体５４よりも側方に延出している前記不透液性裏面シート５２と、前記サイド不織布５５とがホットメルトなどの接着剤やヒートシール等の接着手段によって接合され、これら不透液性裏面シート５２とサイド不織布５５とによる積層シート部分によって側方に突出するウイング状フラップＷ、Ｗが形成されているとともに、これよりも後側部分にヒップホールド用フラップＨＦ、ＨＦが形成された構造となっている。
【０００５】
前記ウイング状フラップＷ、Ｗおよびヒップホールド用フラップＨＦ、ＨＦの外面側にはそれぞれ粘着剤層５６…，５７…が設けられ、前記生理用ナプキン５０を下着に装着する際、生理用ナプキン５０を局所にあてがい、側方に突出する前記ウイング状フラップＷ、Ｗを下着より外に出し、フラップ基端の折返し線ＲＬ、ＲＬにて折返し、下着のクロッチ部分を巻き込むようにしながら下着の股間部外面に貼着するようになっている（図８参照）。
【０００６】
前記ウイング状フラップＷ及びヒップホールド用フラップＨＦが備えられた吸収性物品としては、下記特許文献１に、横方向の両側に突出する折返しフラップ部と、この折返しフラップ部よりも後方の突出起点からナプキンの後縁までの範囲で横方向の両側に突出する後方フラップ部とを有しており、前記後方フラップ部は、前記突出起点から前記後縁までの縦方向の長さの中点よりも前方において、縦方向中心からの半幅寸法が最大となるようにすることにより、縦長の生理用ナプキンは、後縁に向かうにしたがって横方向への動きが大きくなるが、幅寸法の大きい部分に作用する横方向への動きが比較的小さくなり、ナプキンに撚れやめくれを生じにくくした生理用ナプキンが開示されている。
【０００７】
また、下記特許文献２においては、表面シートと裏面シートとを接合する接合部は、該吸収性物品における外縁に沿うようにして形成されるとともに、表面シートと裏面シートが前記外縁から所定の幅で接合されて形成される複数の第１シール部と、隣り合う２つの前記第１シール部の間に、該２つの第１シール部と連続して形成され、前記第１シール部よりも狭い幅で表面シートと裏面シートとが接合されて形成される第２シール部とを備えることにより、剛性が低い第２シール部を、所定の第１シール部とこれに隣接する第１シール部との間に形成することで、接合部が大きく一体的に折り返ることを防止できるようにした吸収性物品が開示されている。
【先行技術文献】
【特許文献】
【０００８】
【特許文献１】特開２００９−５５９号公報
【特許文献２】特許第４７７１７９４号公報
【発明の概要】
【発明が解決しようとする課題】
【０００９】
しかしながら、前記ウイング状フラップＷ及びヒップホールド用フラップＨＦを備えた吸収性物品においては、ウイング状フラップＷの付け根部分から横漏れが発生しやすい、装着時にヒップホールド用フラップＨＦのめくれや折り返りが発生しやすい、などの問題があった。
【００１０】
これらの問題について鋭意検討した結果、いずれも吸収性物品が身体の丸みや身体表面の凹凸形状に沿って変形していないため、吸収性物品の表面と肌との間に隙間が生じ、この隙間を伝って体液が流れ出たり、装着時の違和感を発生させたりしていることが主な原因であることが明らかとなった。
【００１１】
上記特許文献１、２記載の吸収性物品では、ヒップホールド用フラップのめくれや折り返りについては検討されているが、身体の丸みや凹凸形状に沿って変形しやすい構造とはなっていないため、体液の漏れや装着時の違和感が懸念される。
【００１２】
そこで本発明の主たる課題は、吸収性物品の装着時に身体の丸みや凹凸に沿って変形しやすくするとともに、体液の漏れや装着時の違和感を軽減することにある。
【課題を解決するための手段】
【００１３】
上記課題を解決するために請求項１に係る本発明として、透液性表面シートと裏面シートとの間に吸収体が介在されるとともに、両側部にそれぞれ、装着時に下着のクロッチ部分を巻き込むようにして固定されるウイング状フラップと、これより後側に装着時に下着の臀部内面側に固定されるヒップホールド用フラップとが形成された吸収性物品において、
前記ウイング状フラップの付け根後端の製品幅が、前記ウイング状フラップの付け根前端の製品幅より広く形成され、且つ前記ウイング状フラップの付け根後端から前記ヒップホールド用フラップの付け根前端にかけての外形線が外側に凸の曲線で形成されていることを特徴とする吸収性物品が提供される。
【００１４】
上記請求項１記載の発明では、前記ウイング状フラップの付け根後端の製品幅が、ウイング状フラップの付け根前端の製品幅より広く形成されているため、ウイング状フラップ後端のフラップ部分を広く取ることができ、吸収体の側縁がこのフラップ部分によって覆われるので体液の漏れが防止できるようになる。また、ウイング状フラップの付け根後端は、人体の臀部の谷間が開始する位置に相当する部分であり、吸収体が臀部の谷間に食い込んで両側部が幅方向中央側に引き寄せられる部分であるが、この部分のフラップ部を相対的に幅広に形成することにより、両側部に隙間が生じることなく、吸収性物品が身体の凹凸に沿って変形しやすくなるとともに、体液の漏れや装着時の違和感が軽減できるようになる。
【００１５】
また、前記ウイング状フラップの付け根後端から前記ヒップホールド用フラップの付け根前端にかけての外形線が外側に凸の曲線で形成されているため、吸収性物品を装着するに当たって身体の前後の丸みに沿って湾曲させた際、ウイング状フラップの付け根後端及びヒップホールド用フラップの付け根前端がそれぞれ折れ曲がり基点となりやすく、吸収性物品が身体の丸みに沿って変形しやすくなる。従って、体液の漏れや装着時の違和感が軽減できるようになる。
【００１６】
請求項２に係る本発明として、前記ヒップホールド用フラップの付け根前端の製品幅が、前記ウイング状フラップの付け根後端の製品幅より狭いかほぼ同等に形成されている請求項１記載の吸収性物品が提供される。
【００１７】
上記請求項２記載の発明では、前記ヒップホールド用フラップの付け根前端の製品幅を、前記ウイング状フラップの付け根後端の製品幅より狭いかほぼ同等に形成することによって、ヒップホールド用フラップの幅方向両側への突出開始位置が明確になり、ヒップホールド用フラップの付け根前端が折れ曲がり基点となりやすくなる。
【００１８】
請求項３に係る本発明として、前記ヒップホールド用フラップの外形は、接線の向きを連続的に変化させた凸曲線と凹曲線との組合せからなる波状の形状線又は接線の向きが不連続となる部分を有しながら複数の凸曲線を連設させた連設山状の形状線とされている請求項１、２いずれかに記載の吸収性物品が提供される。
【００１９】
上記請求項３記載の発明では、前記ヒップホールド用フラップの外形を、波状線又は連設山状の形状線とすることによって、ヒップホールド用フラップが凹曲線又は接線の向きの不連続部分を基点として折れ曲がりやすくなるため、臀部の丸みに沿って変形しやすくなり、装着時の違和感が軽減できるとともに、極端なヨレやシワが生じないので、体液の漏れが防止できるようになる。
【００２０】
請求項４に係る本発明として、前記凸曲線の曲率半径は、凹曲線の曲率半径より大きく形成されている請求項３記載の吸収性物品が提供される。
【００２１】
上記請求項４記載の発明では、前記ヒップホールド用フラップの外形を波状線とした場合に、前記凸曲線の曲率半径を凹曲線の曲率半径より大きくすることによって、凸曲線部分のめくれを生じにくくし、ヒップホールド用フラップを臀部の丸みに沿いやすくしている。
【発明の効果】
【００２２】
以上詳説のとおり本発明によれば、吸収性物品の装着時に身体の丸みや凹凸に沿って変形しやすくなるとともに、体液の漏れや装着時の違和感が軽減できるようになる。
【図面の簡単な説明】
【００２３】
【図１】本発明に係る生理用ナプキン１の一部破断展開図である。
【図２】そのII−II線矢視図である。
【図３】人体の股間部を下方から見た視図である。
【図４】ヒップホールド用フラップＨＦの外形線を示す平面図である。
【図５】ヒップホールド用フラップＨＦの平面図である。
【図６】生理用ナプキン１の個装要領を示す平面図である。
【図７】従来の生理用ナプキン５０の展開図である。
【図８】ナプキンの装着状態を示す斜視図である。
【発明を実施するための形態】
【００２４】
以下、本発明の実施の形態について図面を参照しながら詳述する。
【００２５】
〔生理用ナプキン１の基本構成〕
本発明に係る生理用ナプキン１は、図１に示されるように、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って配設されたサイド不織布７，７とから主に構成され、かつ前記吸収体４の周囲においては、その上下端縁部では前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と、前記サイド不織布７とがホットメルトなどの接着剤やヒートシール等の接着手段によって接合され、これら不透液性裏面シート２とサイド不織布７とによる積層シート部分によって側方に突出するウイング状フラップＷ、Ｗが形成されているとともに、これよりも後側に位置する部分にヒップホールド用フラップＨＦ、ＨＦが形成されている。
【００２６】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２７】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。
【００２８】
前記不透液性裏面シート２と透液性表面シート３との間に介在される吸収体４は、たとえばフラッフ状パルプと高吸水性ポリマーとにより構成されている。前記高吸水性ポリマーとしては、高吸水ポリマー粒状粉（ＳＡＰ）や高吸水ポリマー繊維（ＳＡＦ）を用いることができる。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。吸収体４の製造方法は、柔軟性に富むように積繊パルプとすることが望ましいが、嵩を小さくできるエアレイド吸収体としてもよい。
【００２９】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３０】
本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。吸収体４としてエアレイド吸収体を使用した場合、吸収体自体の吸収性能が優れるため、クレープ紙５を使用していなくてもよい。また、前記クレープ紙５は、不織布や低目付のエアレイド不織布を使用してもよい。
【００３１】
一方、前記透液性表面シート３の幅寸法は、図示例では、図２の横断面図に示されるように、吸収体４の幅よりも若干長めとされ、吸収体４を覆うだけに止まり、これより幅方向外側には前記透液性表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜３０ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３２】
前記サイド不織布７は、図２に示されるように、幅方向中間部より外側部分を吸収体４の内側位置から吸収体側縁を若干越えて不透液性裏面シート２の外縁までの範囲に亘ってホットメルトなどの接着剤によって接着し、これら前記サイド不織布７と不透液性裏面シート２との積層シート部分によりほぼ体液排出部に相当する吸収体側部位置に左右一対のウイング状フラップＷ、Ｗを形成するとともに、これより後部側位置に左右一対のヒップホールド用フラップＨＦ、ＨＦを形成している。
【００３３】
上記ウイング状フラップＷ、Ｗの外面側（不透液性裏面シート２の面側）にはそれぞれ粘着剤層８、８を備え、図８に示されるように、ショーツに対する装着時に、前記ウイング状フラップＷ、Ｗを折返し線ＲＬ、ＲＬにて反対側に折返し、ショーツのクロッチ部分に巻き付けて止着するようになっている。また、前記ヒップホールド用フラップＨＦ、ＨＦの外面側（不透液性裏面シート２の面側）にはそれぞれ粘着剤層９、９を備え、ショーツに対する装着時に、ショーツの臀部内面側に止着するようになっている。一方、前記透液性表面シート３と不透液性裏面シート２との間に吸収体４が介在された本体部分の外面側（不透液性裏面シート２の面側）には、ショーツに対する固定のために適宜の塗布パターンによって複数条の、図示例では３条の粘着剤層１０、１０…が形成されている。
【００３４】
〔フラップ形状について〕
前記吸収体４の周囲に形成されたフラップのうち、吸収体４の両側縁部に形成されたフラップについて、以下詳細に説明する。
【００３５】
本生理用ナプキン１では、図１に示されるように、ウイング状フラップＷの付け根後端Ｂにおけるナプキン幅方向の製品幅ＵＢが、ウイング状フラップＷの付け根前端Ａにおけるナプキン幅方向の製品幅ＵＡより広く形成されている（ＵＢ＞ＵＡ）。すなわち、この区間の吸収体４を略等幅に形成した場合、吸収体４より外側に延在するフラップ幅が、ウイング状フラップＷの付け根前端Ａの部分よりウイング状フラップＷの付け根後端Ｂの部分の方が広く形成されている。
【００３６】
更に、本生理用ナプキン１は、前記ウイング状フラップＷの付け根後端Ｂから前記ヒップホールド用フラップＨＦの付け根前端Ｃにかけての外形線２０が外側に凸の曲線で形成されている。すなわち、ウイング状フラップＷの付け根後端Ｂとヒップホールド用フラップＨＦの付け根前端Ｃとを結ぶ外形線２０の幅方向端部が、前記ウイング状フラップＷの付け根後端Ｂ及びヒップホールド用フラップＨＦの付け根前端Ｃより、ナプキン幅方向外側に位置するように形成されている。
【００３７】
なお、ウイング状フラップＷの付け根とは、ウイング状フラップＷがその前後の本体部分のフラップから幅方向両側に突出し始める位置のことであり、その前端とは生理用ナプキン１の前側端部、その後端とは生理用ナプキン１の後側端部のことである。また、ヒップホールド用フラップＨＦの付け根前端とは、ウイング状フラップＷより後側に生理用ナプキン１のほぼ後端までの範囲に亘って幅方向両側に突出するヒップホールド用フラップＨＦがその前側の本体部分のフラップから幅方向両側に突出し始める生理用ナプキン１の前側端部のことであり、本発明のようにウイング状フラップＷの付け根後端Ｂからヒップホールド用フラップＨＦの付け根前端Ｃにかけての外形線２０が外側に凸の曲線で形成される場合、前記外形線２０の後端部分の製品幅が極小となる位置のことである。
【００３８】
ここで、本生理用ナプキン１の装着状態における生理用ナプキン１の各部と人体の部位との位置関係については、図３に示されるように、ウイング状フラップＷの先端側外形線のナプキン長手方向中央部を通るナプキン幅方向線Ｓと、ナプキン長手方向中心線ＣＬとの交点Ｄが、人体の体液排出部に当接するように装着したときに、前記ウイング状フラップＷの付け根後端Ｂを臀部の谷間が開始する位置に対応するように形成するとともに、ヒップホールド用フラップＨＦの付け根前端Ｃを臀部の丸みが開始する位置に対応するように形成することが望ましい。
【００３９】
上述のように、前記製品幅ＵＢを製品幅ＵＡより広く形成することによって、ウイング状フラップＷの付け根後端のフラップ幅を広く取ることができ、吸収体４の側縁がこのフラップ部分によって覆われるため体液の漏れ出しが防止できるようになる。また、ウイング状フラップＷの付け根後端Ｂは、前述の通り、生理用ナプキン１の装着時に人体の臀部の谷間が開始する位置に相当する部分であり、吸収体４が臀部の谷間に食い込んで両側部が幅方向中央側に引き寄せられる部分であるが、この部分のフラップ部が相対的に幅広に形成されるため、両側部に隙間が生じることがなく、生理用ナプキン１が身体の凹凸に沿って変形しやすくなるとともに、体液の漏れや装着時の違和感が軽減できるようになる。
【００４０】
また、前記ウイング状フラップＷの付け根後端Ｂからヒップホールド用フラップＨＦの付け根前端Ｃにかけての外形線２０を外側に凸の曲線によって形成することによって、前記外形線２０の前後端に当たるウイング状フラップＷの付け根後端Ｂ及びヒップホールド用フラップＨＦの付け根前端Ｃが幅方向中央側に窪んだ状態となる。この生理用ナプキン１を装着するに当たって身体の前後の丸みに沿って湾曲させた際、前記ウイング状フラップＷの付け根後端Ｂ及び前記ヒップホールド用フラップＨＦの付け根前端Ｃがそれぞれナプキン長手方向に折れ曲がる折れ曲がり基点となりやすく、生理用ナプキン１が身体の前後の丸みに沿って変形しやすくなる。従って、体液の漏れや装着時の違和感が軽減できるようになる。
【００４１】
ところで、前記ヒップホールド用フラップＨＦの付け根前端Ｃの製品幅ＵＣは、ウイング状フラップＷの付け根後端Ｂの製品幅ＵＢより狭いかほぼ同等に形成することが好ましい。これにより、ヒップホールド用フラップＨＦの幅方向両側への突出開始位置が明確になり、ヒップホールド用フラップＨＦの付け根前端Ｃが折れ曲がり基点となりやすくなる。なお、図示例では、前記製品幅ＵＣは、前記製品幅ＵＢより狭く形成されている。また、前記製品幅ＵＣは、図示例のように、前記ウイング状フラップＷの付け根前端の製品幅ＵＡとほぼ同等に形成することが好ましく、これによってヒップホールド用フラップＨＦの付け根前端Ｃにある程度のフラップ幅が確保され漏れ防止が図れるとともに、ヒップホールド用フラップＨＦの付け根前端Ｃがその前後のフラップ部分よりナプキン幅方向中央側に窪んだ外形線となるため、この部位Ｃが折れ曲がり基点となりやすくなる。
【００４２】
前記ウイング状フラップＷの付け根前端Ａの製品幅ＵＡと、ウイング状フラップＷの付け根後端Ｂの製品幅ＵＢとの差は、５ｍｍ以上であるのが好ましく、５ｍｍ〜２０ｍｍ程度であるのがより好ましい。また、図１に示されるように、前記ウイング状フラップＷの付け根後端Ｂとヒップホールド用フラップＨＦの付け根前端Ｃとのナプキン長手方向の離間距離Ｌ１は、人体の臀部の谷間が開始する位置と臀部の丸みが開始する位置との離間距離に合わせて、３５ｍｍ〜６５ｍｍ、好ましくは４５ｍｍ〜５５ｍｍとするのがよい。更に、前記幅方向線Ｓとヒップホールド用フラップＨＦの付け根前端Ｃとのナプキン長手方向の離間距離Ｌ２は、人体の体液排出部と臀部の丸みが開始する位置との離間距離に合わせて、７０ｍｍ〜１２０ｍｍ、好ましくは９０ｍｍ〜１００ｍｍ程度とするのがよい。
【００４３】
一方、幅方向外側に凸の曲線で形成された前記外形線２０の頂部が点Ｂよりナプキン幅方向外側に突出する突出量としては、１ｍｍ〜５ｍｍ程度とするのがよい。外形線２０の頂部を点Ｂより５ｍｍを超えて突出させると、この区間のフラップにヨレやシワが生じやすくなり、横漏れや装着感の悪化を引き起こすようになる。
【００４４】
次に、前記ヒップホールド用フラップＨＦについて説明すると、ヒップホールド用フラップＨＦの外形は、図１に示されるように、接線の向きを連続的に変化させた凸曲線２１と凹曲線２２との組合せからなる波状の形状線とすることが望ましい。これにより、生理用ナプキン１の装着状態で、ヒップホールド用フラップＨＦが前記凹曲線２２を基点とした所定の位置で折れ曲がりやすくなり、臀部の丸みに沿って変形しやすくなる。従って、装着時の違和感が軽減できるとともに、極端なヨレやシワが生じないので、体液の漏れが防止できるようになる。
【００４５】
また、図１に示されるように、前記凸曲線２１の曲率半径は、前記凹曲線２２の曲率半径より大きくなるように形成することが好ましい。このように、凸曲線２１より凹曲線２２を緩やかなカーブで形成することによって、凸曲線２１部分に比べて凹曲線２２部分に応力が集中しやすくなるので、装着中に凸曲線２１部分のめくれが生じにくくなる結果、ヒップホールド用フラップＨＦを臀部の丸みに沿いやすくすることができる。
【００４６】
前記凸曲線２１及び凹曲線２２は、単一の曲率半径からなるものでも、曲率半径の異なる複数の円弧を組み合わせたものでもよい。何れにしても凸曲線２１の曲率半径は２５ｍｍ〜５０ｍｍ程度が好ましく、凹曲線２２の曲率半径は１０ｍｍ〜１５ｍｍ程度が好ましい。前記凸曲線２１の曲率半径と凹曲線２２の曲率半径との差は１０ｍｍ以上、好ましくは１０ｍｍ〜４０ｍｍとするのがよい。
【００４７】
前記凸曲線２１は、図１に示されるように、ヒップホールド用フラップＨＦの外形線に沿って２箇所以上の複数に亘って設けることが好ましく、２箇所〜５箇所程度設けるのがより好ましく、３箇所程度設けるのが更に好ましい。また、図示例のようにヒップホールド用フラップＨＦと本体部分の後端フラップ部との境界は必ずしも明確である必要はなく、ヒップホールド用フラップＨＦの後端部分の凸曲線２１又は凹曲線２２が本体部分の後端フラップ部と一体となるように形成してもよい。前記凸曲線２１及び凹曲線２２の配置は、図１に示されるように、前記凹曲線２２の底部を通る仮想曲線２８を描いたときに、前記仮想曲線２８がナプキン幅方向外側に突出する先端部に前記凸曲線２１の先端部が位置するように設けることが好ましい。また、この先端部に配置された凸曲線２１は、フラップ幅が最も広く形成される部分であり、応力を最も大きく受ける部分であるので、その曲率半径は、前後に配置された凸曲線２１の曲率半径より大きく形成することが好ましい。
【００４８】
また、前記ヒップホールド用フラップＨＦの外形は、前記波状の形状線とする構成に代えて、図４に示されるように、接線の向きが不連続となる部分（接点２３）を有しながら複数の凸曲線２１、２１…を連設させた連設山状の形状線とすることも可能である。前記連設山状の形状線は、複数の凸曲線２１、２１…を連設させることによって、隣接する凸曲線２１、２１の接点２３において接線の向きが不連続となるように形成したものである。これにより、前記接点２３を基点としてヒップホールド用フラップＨＦが折れ曲がりやすくなる。
【００４９】
前記ヒップホールド用フラップＨＦの凸曲線２１部分をめくれにくくするため、前記凸曲線２１に対応する外周寄りの領域に、表面層と裏面層とを接合するためナプキン周縁に沿ってほぼ全周に亘って付与された複数のドットを組み合わせた全周エンボス２４、２４…に対し、エンボス１個当たりの面積を前記全周エンボス２４の１個当たりの面積より大きくした１又は複数の補強用エンボス２５を付与することが好ましい。前記補強用エンボス２５は、前記凸曲線２１に対応する領域の前記全周エンボス２４より内側に付与され、少なくとも凸曲線２１の頂部に対応する位置に付与されるとともに、必要に応じてその両側及び／又は内側に配置することができる。前記全周エンボス２４と補強用エンボス２５のエンボス１箇所当たりの面積比は、１：１０〜２５、好ましくは１：１４〜２０とするのがよい。前記補強用エンボス２５は、円形、楕円形、多角形などの幾何学的パターン又は図示例の花形などの図柄パターンなど種々の形態で形成することができる。
【００５０】
図６に示されるように、前記生理用ナプキン１を包装シート２６によって包装する際、生理用ナプキン１とともに包装シート２６を長手方向に折り畳む折り位置としては、製品外形線が内側に凹となる位置に合わせて設定することが好ましい。図示例では、ウイング状フラップＷの付け根前端Ａ、ヒップホールド用フラップＨＦの付け根前端Ｃ及びヒップホールド用フラップＨＦの凹曲線２２を通る幅方向折り線２７、２７…にてそれぞれ折り畳む四つ折りとされている。これによって、個装時の折り癖が装着時の折れ曲がり基点と一致するようになり、装着時のシワの発生が防止できるとともに、違和感が軽減できるようになる。
【符号の説明】
【００５１】
１…生理用ナプキン、２…不透液性裏面シート、３…透液性表面シート、４…吸収体、５…クレープ紙、７…サイド不織布、８〜１０…粘着剤層、２０…外形線、２１…凸曲線、２２…凹曲線、ＨＦ…ヒップホールド用フラップ、Ｗ…ウイング状フラップ
【図１】
2014144140.tif 000003
【図２】
2014144140.tif 000004
【図３】
2014144140.tif 000005
【図４】
2014144140.tif 000006
【図５】
2014144140.tif 000007
【図６】
2014144140.tif 000008
【図７】
2014144140.tif 000009
【図８】
2014144140.tif 000010